(57)【要約】【課題】内部に十分な拡張スペースを確保しつつ、外観的には必要最小限の奥行きとなる浴室の拡張構造を提供する。【解決手段】建物の土台により区画された領域内に設けられた主浴室部と、その内一本の土台及び該土台上に立設された一対の柱並びに該柱の柱頭間に横設された梁により画成された開口部を、外方へ膨出して掩蔽する掩蔽体によって画成された拡張浴室部とを有する浴室の拡張構造において、上記拡張浴室部は、その奥行きが調整可能に形成される。【選択図】  図２
2008208676.tif 000002
【特許請求の範囲】
【請求項１】
建物の土台により区画された領域内に設けられた主浴室部と、その内一本の土台及び該土台上に立設された一対の柱並びに該柱の柱頭間に横設された梁により画成された開口部を、外方へ膨出して掩蔽する掩蔽体によって画成された拡張浴室部とを有する浴室の拡張構造において、上記拡張浴室部は、その奥行きが調整可能に形成されたことを特徴とする浴室の拡張構造。
【請求項２】
前記掩蔽体は、その一部に窓部を有することを特徴とする請求項１記載の浴室の拡張構造。
【請求項３】
前記掩蔽体は、前記開口部の外周と略同一の外周を有する筒状に形成され前記土台及び柱に固定される枠体と、上記開口部側が開口し、上記枠体に嵌合する箱体とを備え、該箱体を上記枠体に対して前後させることにより、前記拡張浴室部の奥行きを調整することを特徴とする請求項１記載の浴室の拡張構造。
【発明の詳細な説明】
【技術分野】
【０００１】
本発明は、浴室の拡張構造に係り、特に建物の外部に面する土台及びこの土台上に立設された一対の柱により画成された開口部の略全体を外部へ向かって拡張する浴室の拡張構造に関する。
【背景技術】
【０００２】
戸建て住宅に設置される通常の浴室ユニットでは、通常、入浴者に圧迫感を与えないように、また、使用後に換気ができるように窓が設けられる。この窓は、建物の浴室設置スペースに浴室ユニットを据え付けた後、建物の躯体に設けられた窓サッシと、浴室ユニットの壁パネルの、この窓サッシに対抗する位置に設けられた窓用開口部とを、接続枠で接続し、躯体と浴室との間の空間を掩蔽して形成される。
【０００３】
この場合、躯体の窓サッシから浴室ユニットの窓用開口部までの距離は、建物の浴室設置スペースや浴室ユニットのタイプ毎に、或いは施工誤差により異なるので、接続枠の幅を現場で合わせて距離の差を吸収している。
【０００４】
ところで、近年、限られたスペースに設置される浴室ユニットを少しでも広く使用したいとの要求から、出窓等を有する出窓拡張タイプの浴室へリフォームすることが脚光を浴びている。それも、浴槽を、腰から足先方向の長さが短く膝を屈めて入浴する所謂和式と呼ばれるタイプから、腰から足先方向の長さが長く膝を伸ばして入浴することができる所謂洋式或いは和洋折衷式に変更するものや、洗い場も、単に洗面器置き場を追加するものではなく、洗い場の床面積そのものを広くするものが望まれている。
【０００５】
そうすると、拡張といっても、単に建物の窓サッシを出窓タイプに置き換える安易な拡張ではなく、浴室設置スペースの、外部に面する土台とこの上に立設された一対の柱、及びこれら柱の柱頭間に横設された梁とで囲われた面をそのまま外部側へ拡張する本格的なものが必要となる。
【０００６】
この本格的な出窓拡張タイプの浴室の施工方法も、従来、上述した通常の浴室ユニットと略同一である（例えば、特許文献１，２参照。）。すなわち、図４に示すように、建物の浴室設置スペースでは、外部に面する土台（図示せず）とこの上に立設された一対の柱Ｃ、及びこれら柱の柱頭間に横設された梁（図示せず）とで囲われた面を開口部ＯＰとして残す。また、浴室ユニット１も、この開口部ＯＰに設けられる出窓４と対抗する面は開口したまま残されて、所定の位置に設置される。ここで、躯体側開口部ＯＰの外周と略同一の外周を有し、出窓４や腰パネル等と一体化された出窓本体１０を、躯体側開口部ＯＰに仮止めする。そして、壁パネル５と出窓４との距離を測り、接続枠１４を所要の幅に成形して出窓４に取り付ける。最後に出窓本体１０のフランジ１０ａを、柱Ｃ等にねじ止めする。
【０００７】
このように、出窓本体１０は一定の規格の下に工場で一体成形されているので、その奥行き（出窓４から躯体側開口部ＯＰの取付面までの距離）は一定である。他方、浴室ユニット１側の開口位置は、建物の浴室設置スペースや浴室ユニットのタイプ毎に、或いは施工誤差により異なるので、通常の浴室ユニットの場合と同様、距離の差を吸収するために接続枠の幅を現場で合わせる作業が行われている。
【０００８】
【特許文献１】特公昭６１−８２３４号公報
【特許文献２】特開平１１−１９０１３７号公報
【発明の開示】
【発明が解決しようとする課題】
【０００９】
このような本格的な拡張では、例えば浴槽を和式から洋式或いは和洋折衷式に変更するには、出窓の奥行きは３００ｍｍ程度もあれば十分であるところ、従来、上述した距離の差の吸収代を見込んで、出窓の奥行きを３５０ｍｍ程度に形成していた。
【００１０】
しかしながら、隣地境界線や、近隣との関係を考慮すれば、外から見た出窓の奥行きはできるだけ小さく抑えたい。
【００１１】
本発明は、上述した事情を考慮してなされたもので、内部に十分な拡張スペースを確保しつつ、外観的には必要最小限の奥行きとなる浴室の拡張構造を提供することを目的とするものである。
【課題を解決するための手段】
【００１２】
本発明に係る浴室の拡張構造は、上述した課題を解決するために、請求項１に記載したように、建物の土台により区画された領域内に設けられた主浴室部と、その内一本の土台及び該土台上に立設された一対の柱並びに該柱の柱頭間に横設された梁により画成された開口部を、外方へ膨出して掩蔽する掩蔽体によって画成された拡張浴室部とを有する浴室の拡張構造において、上記拡張浴室部は、その奥行きが調整可能に形成されたものである。
【００１３】
前記掩蔽体は、好適には、請求項２に記載したように、その一部に窓部を有してもよく、或いは、請求項３に記載したように、前記開口部の外周と略同一の外周を有する筒状に形成され前記土台及び柱に固定される枠体と、上記開口部側が開口し、上記枠体に嵌合する箱体とを備え、該箱体を上記枠体に対して前後させることにより、前記拡張浴室部の奥行きを調整する構成とすることも可能である。
【発明の効果】
【００１４】
本発明に係る浴室の拡張構造によれば、内部に十分な拡張スペースを確保しつつ、外観的には必要最小限の奥行きとすることができる。
【発明を実施するための最良の形態】
【００１５】
本発明に係る浴室の拡張構造の実施の形態について、添付図面を参照して説明する。図１は、本発明に係る浴室の拡張構造を備える浴室ユニット１の平面図である。
【００１６】
浴室ユニット１は、元々、柱芯１８２０ｍｍ（６尺）×１３６５ｍｍ（４．５尺）の寸法で四周に敷設された土台Ｓにより囲繞された領域内に設けられた主浴室部１Ａに、外壁側に拡張された拡張浴室部１Ｂを追加するリフォームを施したものである。
【００１７】
この拡張浴室部１Ｂは、外壁側の土台Ｓ及びこの土台Ｓ上に立設された一対の柱Ｃ，Ｃ、並びに柱Ｃ，Ｃの柱頭間に横設された梁（図示せず）により画成された開口部ＯＰを越えて外壁側へ延出している。そして、浴室ユニット１の外壁側の、腰部分を形成する壁パネル上部には、採光及び換気のために、出窓４が取り付けられている。
【００１８】
浴室ユニット１の、外壁に直交する壁面の一方に沿って、浴槽３が、主浴室部１Ａと拡張浴室部１Ｂとに亘って、据え付けられている。浴槽３の外壁側端部には、浴槽３の最低部より約１７０ｍｍ〜１８０ｍｍ高い位置に、略平坦部である半身浴ステップ３ａが設けられる。浴槽３に入浴者が半身浴する場合には、半身浴ステップ３ａに腰掛けて入浴する。また、半身浴ステップ３ａは、全身浴時の足置きとしても利用される。
【００１９】
このように、浴槽３は、その長さが拡張浴槽部１Ｂにまで伸ばされたので、入浴者は、リフォーム前のように膝を屈めた窮屈な姿勢を強制されることなく、膝を伸ばしてゆったりと入浴することが可能となる。
【００２０】
浴室ユニット１の浴槽３の残余の床面は、洗い場２が形成される。この洗い場２も、主浴室部１Ａと拡張浴室部１Ｂとに跨るものであるが、両者の間に段差が設けられない。これにより、拡張浴室部１Ｂにより増加した床面積をそっくり洗い場として利用できるので、例えば親子一緒に入浴する場合でも、伸び伸びと使用することができる。
【００２１】
浴室ユニット1の浴槽３側、出入り口９側、及び洗い場２側の３方の壁面は、建物躯体から独立した浴室ユニット１の壁パネル５により構成される。これに対し、出窓４側には壁パネルは設けられず、拡張浴室部１Ｂの正面（出窓４側）及び側面のみならず、図示しない上面及び下面も、出窓本体１０にすっぽりと覆われている。したがって、本実施形態に係る出窓本体１０は、本発明の掩蔽体を構成する。
【００２２】
次に、この出窓本体の構造について、図２及び図３を参照して説明する。図２は、本実施形態に係る浴室の拡張構造の横断面図であり、図３は、同縦断面図である。
【００２３】
本実施形態に係る出窓本体１０は、開口部ＯＰの外周と略同一の外周を有し、全周にフランジ１１ａが曲成された筒状に形成された枠体１１と、開口部ＯＰ側が開口した箱状に形成された箱体１２とを備える。ここで、出窓４は箱体１１の一部を構成する。枠体１１は、土台Ｓ、柱Ｃ及び梁Ｂにねじ固定され、箱体１２は、枠体１１に嵌合してねじ固定される。
【００２４】
箱体１２は、出窓４において、窓枠１５を介して、ジョイナー１３により壁パネル５と接続される。ここで、出窓４から窓枠１５先端まではｄ１の距離があるのみである。
【００２５】
また、図３に示すように、出窓４下部には腰壁パネル１６が、天井部分には天井パネル１７が取り付けられる。これにより、建物躯体と浴室ユニット１裏との間の空間が掩蔽される。
【００２６】
続いて、このように構成される本実施形態に係る浴室の拡張構造の、取付手順について説明する。まず、浴室ユニット１が据え付けられた後に、枠体１１のフランジ１１ａを、土台Ｓ、柱Ｃ、及び梁Ｂの所定の位置にねじ止めする。その後、この固定された枠体１１に箱体１２を嵌挿し、出窓４と壁パネル５端部とが当接すると、両者をジョイナー１３で接続する。これにより箱体１２の位置がきまるので、枠体１１と箱体１２とをねじ止めして、出窓本体１０を一体化させる。
【００２７】
こうして、取付完了した本実施形態に係る浴室の拡張構造を、図４に示す従来の浴室の拡張構造と比較すると、接続枠１４がないので、同じ浴室ユニットの壁パネル５を採用しても、拡張部分の奥行きがｄ２−ｄ１だけ小さいことが解る。
【００２８】
すなわち、内部の実質的な拡張スペースが同じでも、外観的には小さな奥行きの浴室を形成することができる。まや、接続枠１４を設ける必要がないので、出窓４廻りがすっきりし、美観が向上するという効果も得る事ができる。
【００２９】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００３０】
例えば、本実施形態では、出窓４を有する拡張構造を例にとって説明したが、この出窓４は必須ではなく、出窓本体１０（掩蔽体）を窓のない壁とすることもできるし、或いは、天窓を追加した構成とすることも可能である。
【図面の簡単な説明】
【００３１】
【図１】本発明に係る浴室の拡張構造の実施形態を備える浴室の概要を示す平面図。
【図２】本実施形態に係る浴室の拡張構造の横断面図。
【図３】本実施形態に係る浴室の拡張構造の縦断面図。
【図４】従来の浴室の拡張構造の横断面図。
【符号の説明】
【００３２】
１  浴室ユニット
１Ａ  主浴室部
１Ｂ  拡張浴室部
２  洗い場
３  浴槽，３ａ  半身浴ステップ
４  窓サッシ
５  壁パネル
８  防水パン
９  出入り口
１０  出窓本体，１０ａ  フランジ
１１  枠体，１１ａ  フランジ
１２  箱体，
１３  ジョイナー
１４  接続枠
１５  窓枠
１６  腰壁パネル
１７  天井パネル
Ｂ  梁
Ｃ  柱
Ｄ  建築床
Ｆ  布基礎
ＯＰ  開口部
Ｓ  土台
【図１】
2008208676.tif 000003
【図２】
2008208676.tif 000004
【図３】
2008208676.tif 000005
【図４】
2008208676.tif 000006